(57)【要約】【課題】熱電併給装置の排熱だけでなく、ヒートポンプ装置の冷媒による熱をも蓄熱タンクに蓄熱可能であり、しかも、熱電併給装置の排熱及びヒートポンプ装置の冷媒による熱に加えて、蓄熱タンクに蓄熱されている熱をも効果的に熱消費部に供給する。【解決手段】循環路Ｊにおいて排熱式加熱部１８と蓄熱水供給路Ｋ１，Ｋ２の分岐箇所との間の部位に、循環路Ｊとは別に蓄熱タンク３から取り出した蓄熱水を混合させる混合流路Ｑが合流接続され、循環路Ｊに対する混合流路Ｑからの蓄熱水の混合量を調整自在な混合量調整手段Ｓ１が備えられ、循環路Ｊにおいて混合流路Ｑの合流箇所と蓄熱水供給路Ｋ１，Ｋ２の分岐箇所との間の部位に、循環路Ｊを通して蓄熱水を通流させる循環ポンプ２６が配置され、循環路Ｊにおいてヒートポンプ式加熱部１８よりも蓄熱水の通流方向の上流側部位に、蓄熱タンク３に蓄熱水を補給する蓄熱水補給路Ｗが接続されている。【選択図】図２
2011047591.tif 000002
【特許請求の範囲】
【請求項１】
蓄熱タンクから取り出した蓄熱水を、ヒートポンプ装置の冷媒により蓄熱水を加熱するヒートポンプ式加熱部、熱電併給装置の排熱により蓄熱水を加熱する排熱式加熱部の順に通過させたのち前記蓄熱タンクに戻す循環路が備えられ、前記循環路において前記排熱式加熱部よりも蓄熱水の通流方向の下流側部位に蓄熱水を熱消費部に供給する蓄熱水供給路が分岐接続され、前記排熱式加熱部を通過した蓄熱水を前記循環路により前記蓄熱タンクに戻す蓄熱状態と前記排熱式加熱部を通過した蓄熱水を前記蓄熱水供給路により前記熱消費部に供給する熱供給状態とに切換自在な切換手段が備えられている熱供給設備であって、
前記循環路において前記排熱式加熱部と前記蓄熱水供給路の分岐箇所との間の部位に、前記循環路とは別に前記蓄熱タンクから取り出した蓄熱水を混合させる混合流路が合流接続され、前記循環路に対する前記混合流路からの蓄熱水の混合量を調整自在な混合量調整手段が備えられ、前記循環路において前記混合流路の合流箇所と前記蓄熱水供給路の分岐箇所との間の部位に、前記循環路を通して蓄熱水を通流させる循環ポンプが配置され、前記循環路において前記ヒートポンプ式加熱部よりも蓄熱水の通流方向の上流側部位に、前記蓄熱タンクに蓄熱水を補給する蓄熱水補給路が接続されている熱供給設備。
【請求項２】
前記熱電併給装置、前記ヒートポンプ装置及び前記循環ポンプの夫々を作動させ且つ前記切換手段を前記蓄熱状態に切り換えて前記混合量調整手段により前記混合流路からの蓄熱水の混合量をゼロとするとともに、前記循環ポンプの回転速度の制御により前記排熱式加熱部を通過した蓄熱水の温度を蓄熱用目標温度に調整する蓄熱運転と、前記熱電併給装置、前記ヒートポンプ装置及び前記循環ポンプの夫々を作動させ且つ前記切換手段を前記熱供給状態に切り換えるとともに、前記混合量調整手段による前記混合流路からの蓄熱水の混合量の調整により前記排熱式加熱部を通過した蓄熱水の温度を前記蓄熱用目標温度よりも低い熱供給用目標温度に調整する熱供給運転とを実行可能な運転制御手段が備えられている請求項１に記載の熱供給設備。
【請求項３】
前記蓄熱水供給路として、蓄熱水を給湯箇所に供給する給湯用供給路と、蓄熱水を熱消費用熱交換器を通過させたのち前記循環路において前記ヒートポンプ式加熱部よりも蓄熱水の通流方向の上流側部位に戻す循環用供給路とが備えられ、蓄熱水を前記給湯用供給路により前記給湯箇所に供給する給湯状態と蓄熱水を前記循環用供給路により前記熱消費用熱交換器に供給する循環状態とに切換自在な熱供給状態切換手段が備えられ、前記運転制御手段は、前記熱供給運転として、前記熱供給状態切換手段を前記給湯状態に切り換える給湯用熱供給運転と、前記熱供給状態切換手段を前記循環状態に切り換える循環用熱供給運転とを実行可能に構成されている請求項２に記載の熱供給設備。
【請求項４】
前記運転制御手段は、前記蓄熱運転を行うに当たり、前記熱電併給装置が設定時間以上連続作動可能な作動開始条件が満たされているか否かを判別し、その作動開始条件が満たされていると、前記蓄熱運転を行う請求項２又は３に記載の熱供給設備。
【請求項５】
前記運転制御手段は、前記熱供給運転を行うに当たり、前記熱電併給装置及び前記ヒートポンプ装置を作動停止状態に維持して、前記循環ポンプを作動させ且つ前記切換手段を前記熱供給状態に切り換えるとともに、前記混合量調整手段による前記混合流路からの蓄熱水の混合量を最大とする遅延用熱供給運転を設定遅延時間行ったのち、前記熱供給運転を行う請求項２〜４の何れか１項に記載の熱供給設備。
【請求項６】
前記熱電併給装置にて発生する電力を前記圧縮式ヒートポンプ装置を含む電力消費部に電力を供給自在な商用電力系統に系統連系するインバータが備えられ、前記運転制御手段は、前記蓄熱運転及び前記熱供給運転において、前記商用電力系統から前記電力消費部に供給される電力量に基づいて、前記圧縮式ヒートポンプ装置における圧縮機の回転速度を制御する請求項２〜５の何れか１項に記載の熱供給設備。
【請求項７】
前記運転制御手段は、前記商用電力系統から前記電力消費部に供給される電力量に基づいて前記圧縮機の回転速度を制御するに当たり、設定周期における前記商用電力系統から前記電力消費部に供給される電力量に基づいて、前記圧縮機の回転速度を制御する請求項６に記載の熱供給設備。
【発明の詳細な説明】
【技術分野】
【０００１】
本発明は、蓄熱タンクから取り出した蓄熱水を、圧縮式ヒートポンプ装置の冷媒により蓄熱水を加熱するヒートポンプ式加熱部、熱電併給装置にて発生する排熱により蓄熱水を加熱する排熱式加熱部の順に通過させたのち前記蓄熱タンクに戻す循環路が備えられ、前記循環路において前記排熱式加熱部よりも蓄熱水の通流方向の下流側部位に蓄熱水を熱消費部に供給する蓄熱水供給路が分岐接続され、前記排熱式加熱部を通過した蓄熱水を前記循環路により前記蓄熱タンクに戻す蓄熱状態と前記排熱式加熱部を通過した蓄熱水を前記蓄熱水供給路により前記熱消費部に供給する熱供給状態とに切換自在な切換手段が備えられている熱供給設備に関する。
【背景技術】
【０００２】
従来の熱供給設備では、循環路が、蓄熱タンクの下部から蓄熱水を取り出して、ヒートポンプ式加熱部、排熱式加熱部の順に通過した蓄熱水を蓄熱タンクの上部に戻すように構成されている。そして、循環路においてヒートポンプ式加熱部よりも蓄熱水の通流方向の上流側部位には、循環路を通して蓄熱水を通流させる循環ポンプが備えられている。熱消費部として、浴槽の湯水を加熱する熱交換器、給湯する湯水を加熱する熱交換器、或いは、暖房端末等が備えられている。蓄熱水供給路は、循環路において排熱式加熱部よりも蓄熱水の通流方向の下流側部位から分岐されており、循環路において循環ポンプよりも蓄熱水の通流方向の上流側部位に合流されている。そして、切換手段を蓄熱状態に切り換えて循環ポンプを作動させることで、ヒートポンプ式加熱部、排熱式加熱部の順に通過して加熱された蓄熱水を蓄熱タンクに戻し、ヒートポンプ式加熱部及び排熱式加熱部にて取得した熱を蓄熱タンクに蓄熱している。また、切換手段を熱供給状態に切り換えて循環ポンプを作動させることで、ヒートポンプ式加熱部、排熱式加熱部の順に通過して加熱された蓄熱水を熱消費部に供給し、熱消費部を通過した蓄熱水を循環路に戻して、ヒートポンプ式加熱部及び排熱式加熱部にて加熱された蓄熱水を熱消費部に循環供給している（例えば、特許文献１参照。）。
【先行技術文献】
【特許文献】
【０００３】
【特許文献１】特開２００８−１８５２４５号公報
【発明の概要】
【発明が解決しようとする課題】
【０００４】
上記特許文献１に記載の設備では、循環路に、排熱式加熱部を設けるだけでなく、排熱式加熱部よりも蓄熱水の通流方向の上流側部位にヒートポンプ式加熱部を設けておくことで、熱電併給装置にて発生する排熱だけでなく、圧縮式ヒートポンプ装置の冷媒によっても蓄熱水を加熱している。そして、熱電併給装置にて発生する電力を圧縮式ヒートポンプ装置の駆動用電力として供給可能に構成されており、熱電併給装置にて発生する電力を活用して圧縮式ヒートポンプ装置を作動させながら、熱電併給装置にて発生する排熱及び圧縮式ヒートポンプ装置の冷媒により加熱された蓄熱水を熱消費部に供給することができる。これにより、熱電併給装置の排熱及び圧縮式ヒートポンプ装置の冷媒から取得される熱を熱消費部にて有効に活用することができ、省エネ性の向上を図ることができる。
【０００５】
しかしながら、上記特許文献１に記載の設備では、熱消費部に蓄熱水を供給する場合に、ヒートポンプ式加熱部、排熱式加熱部の順に通過して加熱された蓄熱水を熱消費部に供給しているだけであるので、蓄熱タンクに蓄熱されている熱を効果的に熱消費部に供給することができず、省エネ性の向上には限界があった。
ちなみに、特許文献１に記載の設備では、熱消費部を通過した蓄熱水を循環路に戻してヒートポンプ式加熱部に供給するのではなく、蓄熱タンクの上部から取り出した蓄熱水を、熱消費部を通過した蓄熱水に混合させて、混合後の蓄熱水をヒートポンプ式加熱部に供給している点が開示されている。しかしながら、蓄熱タンクにある程度の熱量が蓄熱されていると、蓄熱タンクの上部から取り出した蓄熱水は比較的高温となっているので、その比較的高温の蓄熱水を熱消費部を通過した蓄熱水に混合させると、ヒートポンプ式加熱部に供給される蓄熱水の温度が上昇してしまう。よって、ヒートポンプ式加熱部では、冷媒と蓄熱水との温度差が小さくなり、蓄熱水が十分な熱量を取得することができず、省エネ性の向上を図ることができない虞があった。
【０００６】
本発明は、かかる点に着目してなされたものであり、その目的は、熱電併給装置の排熱だけでなく、ヒートポンプ装置の冷媒による熱をも蓄熱タンクに蓄熱可能であり、しかも、熱電併給装置の排熱及びヒートポンプ装置の冷媒による熱に加えて、蓄熱タンクに蓄熱されている熱をも効果的に熱消費部に供給できる熱供給設備を提供する点にある。
【課題を解決するための手段】
【０００７】
この目的を達成するために、本発明に係る熱供給設備の特徴構成は、蓄熱タンクから取り出した蓄熱水を、ヒートポンプ装置の冷媒により蓄熱水を加熱するヒートポンプ式加熱部、熱電併給装置の排熱により蓄熱水を加熱する排熱式加熱部の順に通過させたのち前記蓄熱タンクに戻す循環路が備えられ、前記循環路において前記排熱式加熱部よりも蓄熱水の通流方向の下流側部位に蓄熱水を熱消費部に供給する蓄熱水供給路が分岐接続され、前記排熱式加熱部を通過した蓄熱水を前記循環路により前記蓄熱タンクに戻す蓄熱状態と前記排熱式加熱部を通過した蓄熱水を前記蓄熱水供給路により前記熱消費部に供給する熱供給状態とに切換自在な切換手段が備えられている熱供給設備において、
前記循環路において前記排熱式加熱部と前記蓄熱水供給路の分岐箇所との間の部位に、前記循環路とは別に前記蓄熱タンクから取り出した蓄熱水を混合させる混合流路が合流接続され、前記循環路に対する前記混合流路からの蓄熱水の混合量を調整自在な混合量調整手段が備えられ、前記循環路において前記混合流路の合流箇所と前記蓄熱水供給路の分岐箇所との間の部位に、前記循環路を通して蓄熱水を通流させる循環ポンプが配置され、前記循環路において前記ヒートポンプ式加熱部よりも蓄熱水の通流方向の上流側部位に、前記蓄熱タンクに蓄熱水を補給する蓄熱水補給路が接続されている点にある。
【０００８】
本特徴構成によれば、切換手段を蓄熱状態に切り換えて循環ポンプを作動させることで、蓄熱タンクから循環路に蓄熱水を取り出し、その取り出した蓄熱水を循環路を通して通流させて蓄熱タンクに戻すことができる。循環路に取り出した蓄熱水は、ヒートポンプ式加熱部、排熱式加熱部の順に通過する。そして、切換手段を蓄熱状態に切り換えており、混合量調整手段により循環路に対する混合流路からの蓄熱水の混合量をゼロとすることで、排熱式加熱部を通過した蓄熱水だけが循環路を通して通流して蓄熱タンクに戻される。このようにして、ヒートポンプ式加熱部及び排熱式加熱部にて加熱された蓄熱水を蓄熱タンクに貯湯することで、ヒートポンプ式加熱部及び排熱式加熱部にて取得した熱を蓄熱タンクに蓄熱することができる。
【０００９】
また、切換手段を熱供給状態に切り換えて循環ポンプを作動させることで、蓄熱タンクから循環路及び混合流路に蓄熱水を取り出し、混合量調整手段を循環路の蓄熱水と混合流路の蓄熱水との両者の混合を適切に行う状態として、循環路の蓄熱水と混合流路の蓄熱水とを混合させ、混合後の蓄熱水を熱消費部に供給することができる。循環ポンプが循環路において混合流路の合流箇所と蓄熱水供給路の分岐箇所との間の部位に備えられているので、循環ポンプの作動により蓄熱水を通流させる力が、循環路及び混合流路の双方に作用することになり、蓄熱タンクの蓄熱水が、循環路に取り出されるとともに、混合流路にも取り出される。混合流路は、循環路において排熱式加熱部と蓄熱水供給路の分岐箇所との間の部位に合流されているので、混合量調整手段により循環路に対する混合流路からの蓄熱水の混合量をゼロよりも大きくすることで、循環路に取り出されてヒートポンプ式加熱部、排熱式加熱部の順に通過した蓄熱水に、混合流路に取り出された蓄熱水を混合させることができる。そして、切換手段を熱供給状態に切り換えているので、混合された蓄熱水が蓄熱水供給路により熱消費部に供給される。このようにして、ヒートポンプ式加熱部及び排熱式加熱部にて加熱された蓄熱水に蓄熱タンクの蓄熱水を混合させて熱消費部に供給することで、ヒートポンプ式加熱部及び排熱式加熱部にて取得した熱に加えて、蓄熱タンクに蓄熱されている熱をも熱消費部に供給することができる。
【００１０】
また、このように熱消費部に蓄熱水を供給して熱消費部にて蓄熱水が消費された場合には、蓄熱水補給路により蓄熱水を補給することができる。そして、蓄熱水補給路は、循環路においてヒートポンプ式加熱部よりも蓄熱水の通流方向の上流側部位に接続されているので、蓄熱水補給路にて補給される比較的低温の蓄熱水がヒートポンプ式加熱部に供給されることになる。よって、ヒートポンプ式加熱部にて冷媒と蓄熱水との温度差を極力大きくとることができ、蓄熱水が多く熱量を取得することができ、ヒートポンプ装置の成績係数（ＣＯＰ）を向上させて、省エネ性の向上を図ることができる。
【００１１】
以上のことから、熱電併給装置の排熱だけでなく、ヒートポンプ装置の冷媒による熱をも蓄熱タンクに蓄熱可能であり、しかも、熱電併給装置の排熱及びヒートポンプ装置の冷媒による熱に加えて、蓄熱タンクに蓄熱されている熱をも効果的に熱消費部に供給できる熱供給設備を実現できる。
【００１２】
本発明に係る熱供給設備の更なる特徴構成は、前記熱電併給装置、前記ヒートポンプ装置及び前記循環ポンプの夫々を作動させ且つ前記切換手段を前記蓄熱状態に切り換えて前記混合量調整手段により前記混合流路からの蓄熱水の混合量をゼロとするとともに、前記循環ポンプの回転速度の制御により前記排熱式加熱部を通過した蓄熱水の温度を蓄熱用目標温度に調整する蓄熱運転と、前記熱電併給装置、前記ヒートポンプ装置及び前記循環ポンプの夫々を作動させ且つ前記切換手段を前記熱供給状態に切り換えるとともに、前記混合量調整手段による前記混合流路からの蓄熱水の混合量の調整により前記排熱式加熱部を通過した蓄熱水の温度を前記蓄熱用目標温度よりも低い熱供給用目標温度に調整する熱供給運転とを実行可能な運転制御手段が備えられている点にある。
【００１３】
本特徴構成によれば、運転制御手段が、熱電併給装置、ヒートポンプ装置及び循環ポンプの夫々を作動させ且つ切換手段を蓄熱状態に切り換えて混合量調整手段により循環路に対する混合流路からの蓄熱水の混合量をゼロとする蓄熱運転を行なうことで、上述の如く、ヒートポンプ式加熱部及び排熱式加熱部にて加熱された蓄熱水を蓄熱タンクに貯湯することできる。そして、この蓄熱運転では、運転制御手段が、排熱式加熱部を通過した蓄熱水の温度を蓄熱用目標温度に調整するように循環ポンプの回転速度を制御しており、蓄熱タンクに戻す蓄熱水の温度を例えば高温の蓄熱用目標温度に調整して、蓄熱タンクへの蓄熱を的確に行うことができる。
【００１４】
また、運転制御手段が、熱電併給装置、ヒートポンプ装置及び循環ポンプの夫々を作動させ且つ切換手段を熱供給状態に切り換え、混合量調整手段による循環路に対する混合流路からの蓄熱水の混合量をゼロよりも大きくする熱供給運転を行うことで、上述の如く、蓄熱タンクから循環路及び混合流路に蓄熱水を取り出し、循環路の蓄熱水と混合流路の蓄熱水とを混合させ、混合後の蓄熱水を熱消費部に供給することができる。そして、この熱供給運転では、運転制御手段が、排熱式加熱部を通過した蓄熱水の温度を蓄熱用目標温度よりも低い熱供給用目標温度に調整するように混合量調整手段による混合流路からの蓄熱水の混合量を制御している。これにより、例えば、ヒートポンプ式加熱部、排熱式加熱部の順に通過する蓄熱水の流量を増加させても、排熱式加熱部を通過した蓄熱水の温度を熱供給用目標温度に上昇させることができるので、ヒートポンプ式加熱部にて蓄熱水がより一層多くの熱量を取得することができる。よって、成績係数（ＣＯＰ）の高い領域にて圧縮式ヒートポンプ装置を作動させることができ、省エネの向上をより一層図ることができる。
【００１５】
本発明に係る熱供給設備の更なる特徴構成は、前記蓄熱水供給路として、蓄熱水を給湯箇所に供給する給湯用供給路と、蓄熱水を熱消費用熱交換器を通過させたのち前記循環路において前記ヒートポンプ式加熱部よりも蓄熱水の通流方向の上流側部位に戻す循環用供給路とが備えられ、蓄熱水を前記給湯用供給路により前記給湯箇所に供給する給湯状態と蓄熱水を前記循環用供給路により前記熱消費用熱交換器に供給する循環状態とに切換自在な熱供給状態切換手段が備えられ、前記運転制御手段は、前記熱供給運転として、前記熱供給状態切換手段を前記給湯状態に切り換える給湯用熱供給運転と、前記熱供給状態切換手段を前記循環状態に切り換える循環用熱供給運転とを実行可能に構成されている点にある。
【００１６】
本特徴構成によれば、運転制御手段は、給湯用熱供給運転を行うことで、給湯栓や浴槽等の給湯箇所に対して、給湯用供給路にて蓄熱水を供給することができる。また、運転制御手段は、循環用熱供給運転を行うことで、床暖房装置や暖房端末等に供給する熱媒を加熱する熱消費用熱交換器に対して、循環用供給路にて蓄熱水を供給することができる。このように、熱消費部として給湯箇所や熱消費用熱交換器を備えた場合でも、熱消費部の夫々に対して必要に応じて蓄熱水を供給する運転を行なうことができ、熱消費として様々な用途に適応することができる。
【００１７】
本発明に係る熱供給設備の更なる特徴構成は、前記運転制御手段は、前記蓄熱運転を行うに当たり、前記熱電併給装置が設定時間以上連続作動可能な作動開始条件が満たされているか否かを判別し、その作動開始条件が満たされていると、前記蓄熱運転を行う点にある。
【００１８】
本特徴構成によれば、運転制御手段は、むやみに蓄熱運転を行うのではなく、熱電併給装置が設定時間以上連続作動可能な作動開始条件が満たされているときにだけ蓄熱運転を行うことができるので、蓄熱運転の実行により熱電併給装置が作動開始されると、熱電併給装置を設定時間以上連続作動させることができる。これにより、熱電併給装置が頻繁に発停されるのを抑制することができ、熱電併給装置の劣化を防止することができる。また、例えば、熱電併給装置がエンジンとそのエンジンにて駆動される発電機とを備えている場合には、エンジンを立ち上げるのにある程度の時間が必要であり、その立ち上げ時にはあまり効率がよくないので、設定時間を例えば１時間等のエンジンが立ち上がるのに必要な時間よりも長い時間を設定することにより、エンジンの効率の向上を図ることができ、この点からも省エネ性の向上を図ることができる。
【００１９】
本発明に係る熱供給設備の更なる特徴構成は、前記運転制御手段は、前記熱供給運転を行うに当たり、前記熱電併給装置及び前記ヒートポンプ装置を作動停止状態に維持して、前記循環ポンプを作動させ且つ前記切換手段を前記熱供給状態に切り換えるとともに、前記混合量調整手段による前記混合流路からの蓄熱水の混合量を最大とする遅延用熱供給運転を設定遅延時間行ったのち、前記熱供給運転を行う点にある。
【００２０】
本特徴構成によれば、運転制御手段は、熱供給運転を行うときには、まず、遅延用熱供給運転を設定遅延時間行ったのち、熱供給運転を行う。そして、遅延用熱供給運転では、運転制御手段が、熱電併給装置及びヒートポンプ装置を作動停止状態に維持して、循環ポンプを作動させ且つ切換手段を熱供給状態に切り換えるとともに、混合量調整手段による循環路に対する混合流路からの蓄熱水の混合量を最大としているので、蓄熱タンクから混合流路に優先的に蓄熱水を取り出し、その混合流路に取り出された蓄熱水を熱消費部に供給させることができる。これにより、遅延用熱供給運転を行うことで、熱供給運転を行う以前に、蓄熱タンクに蓄熱されている熱を優先的に熱消費部に供給することができ、蓄熱タンクに蓄熱されている熱を効率よく熱消費部に供給することができる。
【００２１】
本発明に係る熱供給設備の更なる特徴構成は、前記熱電併給装置にて発生する電力を前記圧縮式ヒートポンプ装置を含む電力消費部に電力を供給自在な商用電力系統に系統連系するインバータが備えられ、前記運転制御手段は、前記蓄熱運転及び前記熱供給運転において、前記商用電力系統から前記電力消費部に供給される電力量に基づいて、前記圧縮式ヒートポンプ装置における圧縮機の回転速度を制御する点にある。
【００２２】
本特徴構成によれば、運転制御手段は、蓄熱運転及び熱供給運転において、熱電併給装置にて発生する電力を用いながら、圧縮式ヒートポンプ装置を作動させることができるのであるが、そのときの圧縮機の回転速度を、商用電力系統から電力消費部に供給される電力量に応じて制御している。例えば、運転制御手段は、商用電力系統から電力消費部に供給される電力量が大きいと、圧縮機の回転速度を低速側に調整し、商用電力系統から電力消費部に供給される電力量が小さいと、圧縮機の回転速度を高速側に調整することができる。これにより、蓄熱運転及び熱供給運転において、圧縮式ヒートポンプ装置以外の電力消費部の運転状況を鑑みながら、商用電力系統から電力消費部に供給される電力量を一定の範囲内に収まるように圧縮式ヒートポンプ装置を作動させることができる。よって、蓄熱運転及び熱供給運転を行うに当たり、圧縮式ヒートポンプ装置の作動により商用電力系統から余剰に電力供給を受けることを防止することができ、最適な蓄熱運転及び熱供給運転を行うことができる。
【００２３】
本発明に係る熱供給設備の更なる特徴構成は、前記運転制御手段は、前記商用電力系統から前記電力消費部に供給される電力量に基づいて前記圧縮機の回転速度を制御するに当たり、設定周期における前記商用電力系統から前記電力消費部に供給される電力量に基づいて、前記圧縮機の回転速度を制御する点にある。
【００２４】
商用電力系統から電力消費部に供給される電力量に応じて圧縮機の回転速度を制御するに当たり、商用電力系統から電力消費部に供給される電力量の変動に対して圧縮機の回転速度を逐次変更すると、圧縮式ヒートポンプ装置における膨張弁の制御が複雑になり、ヒートポンプ装置の作動が不安定になる可能性がある。そこで、本特徴構成によれば、運転制御手段は、商用電力系統から電力消費部に供給される電力量の変動に対して圧縮機の回転速度を逐次制御するのではなく、設定周期における商用電力系統から電力消費部に供給される電力量に基づいて、圧縮機の回転速度を制御している。これにより、上述のような不都合を解消することができ、圧縮式ヒートポンプ装置を安定して作動させることができる。ここで、設定周期における商用電力系統から電力消費部に供給される電力量として、例えば、設定周期での電力量の積算平均値を求め、その求めた積算平均値が前回求めた積算平均値から設定値以上変化している場合に、今回求めた積算平均値に応じて圧縮機の回転速度を調整することができる。
【図面の簡単な説明】
【００２５】
【図１】熱供給設備の概略構成図において蓄熱運転を示す図
【図２】熱供給設備の概略構成図において給湯用熱供給運転を示す図
【図３】熱供給設備の概略構成図において循環用熱供給運転を示す図
【図４】熱供給設備の概略構成図において循環用熱供給運転を示す図
【図５】熱供給設備の概略構成図において給湯用熱供給運転と循環用熱供給運転とを併行して行ったときを示す図
【図６】熱供給設備の概略構成図において蓄熱運転と循環用熱供給運転とを併行して行ったときを示す図
【発明を実施するための形態】
【００２６】
本発明に係る熱供給設備の実施形態について、図面に基づいて説明する。
この熱供給設備は、図１〜図６に示すように、電力と熱とを発生する熱電併給装置１と、その熱電併給装置１にて発生する電力にて作動可能な圧縮式ヒートポンプ装置２と、熱電併給装置１にて発生する排熱及び圧縮式ヒートポンプ装置２の冷媒から取得した熱を蓄熱可能な密閉型の蓄熱タンク３と、熱供給設備の運転を制御する運転制御手段としての運転制御部４とを備えている。これにより、熱電併給装置１の排熱だけでなく、ヒートポンプ装置２の冷媒による熱をも蓄熱タンク３に蓄熱して蓄熱タンク３への蓄熱を効率よく行うことができる。図１〜図６の夫々において、熱供給設備の概略構成については同様であり、その熱供給設備の概略構成において蓄熱水や冷却水等の流体が通流する部位を太線矢印にて示している。
【００２７】
そして、本発明に係る熱供給設備は、熱電併給装置１にて発生する排熱及び圧縮式ヒートポンプ装置２の冷媒にて加熱された蓄熱水と蓄熱タンク３に貯留されている蓄熱水とを混合させて熱消費部５に供給することにより、熱電併給装置１にて発生する排熱、圧縮式ヒートポンプ装置２の冷媒から取得した熱、及び、蓄熱タンク３に蓄熱されている熱を熱消費部５に供給可能に構成されている。これにより、熱電併給装置１の排熱及びヒートポンプ装置２の冷媒による熱に加えて、蓄熱タンク３に効率よく蓄熱された熱をも熱消費部５に供給することができ、省エネ性の向上を効果的に図ることができる。ここで、熱消費部５として、給湯栓等が接続された給湯部や浴槽等の給湯箇所、並びに、高温暖房端末５（浴室乾燥機等）や床暖房装置５に供給する熱媒を加熱する暖房用熱交換器２７及び浴槽の湯水を加熱して追焚を行う追焚用熱交換器２８等の熱消費用熱交換器２９が備えられている。
【００２８】
熱電併給装置１は、例えば、都市ガスを燃料とするエンジン６と、そのエンジン６の駆動により発電する発電機７と、その発電機７の発電出力を商用電力系統８に系統連系するインバータ９とを備えている。商用電力系統８は、電力供給ライン１０を介してテレビ、冷蔵庫、洗濯機等の電力消費部１１に電気的に接続されている。そして、電力供給ライン１０は、圧縮式ヒートポンプ装置２の圧縮機１３における駆動部も電気的に接続されており、圧縮式ヒートポンプ装置２も含めた電力消費部１１に電気的に接続されている。インバータ９は、発電機７から出力された電力を商用電力系統８の周波数及び電圧と合致する交流電力に変換することにより、発電機２の発電出力を商用電力系統１０に系統連系している。インバータ９は、コージェネ用電力供給ライン１２を介して電力供給ライン１０に電気的に接続されており、熱電併給装置１にて発生する電力が電力消費部１１に供給自在に構成されている。
【００２９】
圧縮式ヒートポンプ装置２は、冷媒を圧縮する圧縮機１３、冷媒から放熱される凝縮器１４、冷媒を膨張させる電子式の膨張弁１５、冷媒を外気から吸熱させる蒸発器１６の順に冷媒を循環する冷媒回路１７を備えている。そして、冷媒としては、例えば、Ｒ１３４ａやＲ４１０Ａを用いている。
【００３０】
蓄熱タンク３には、蓄熱水としての水が貯留されており、蓄熱タンク３に接続された流路を通して蓄熱水を通流させることにより、熱電併給装置１にて発生する排熱及び圧縮式ヒートポンプ装置２の冷媒にて加熱された蓄熱水を成層状態（高温の蓄熱水を上部に存在させ且つ低温の蓄熱水を下部に存在させる状態）を形成するように貯留して、電併給装置１にて発生する排熱及び圧縮式ヒートポンプ装置２の冷媒から取得した熱を蓄熱可能に構成されている。また、蓄熱タンク３に接続された流路や他の流路を通して蓄熱水を通流させることにより、熱電併給装置１にて発生する排熱、圧縮式ヒートポンプ装置２の冷媒から取得した熱、及び、蓄熱タンク３に蓄熱されている熱を熱消費部５に供給可能に構成されている。
【００３１】
以下、蓄熱水を通流させる流路について説明する。
まず、蓄熱タンク３の蓄熱水を循環させるために、蓄熱タンク３の下部から取り出した蓄熱水を、ヒートポンプ式加熱部１８、排熱式加熱部１９の順に通過させたのち蓄熱タンク３の上部に戻す循環路Ｊ（図１中太線矢印参照）が備えられている。ヒートポンプ式加熱部１８は、圧縮式ヒートポンプ装置２の冷媒により蓄熱水を加熱するものであり、圧縮式ヒートポンプ装置２における凝縮器１４に蓄熱水を通流させることで、ヒートポンプ式加熱部１８が凝縮器１４にて構成されている。排熱式加熱部１９は、熱電併給装置１の排熱により蓄熱水を加熱するものである。エンジン６の冷却水を循環させる冷却水循環路２１により、エンジン６の排熱を回収した冷却水を排熱式加熱部１９に通流させることで、エンジン６の冷却水にて蓄熱水を加熱している。ここで、冷却水循環路２１には、エンジン６から冷却水の通流方向の順に、冷却水の温度を検出する第１冷却水温度センサ２２、排熱式加熱部１９、冷却水を貯留する冷却水膨張タンク２３、冷却水の温度を検出する第２冷却水温度センサ２４、冷却水循環ポンプ２５が備えられている。
【００３２】
循環路Ｊは、蓄熱タンク３の下部に接続されてヒートポンプ式加熱部１８及び排熱式加熱部１９を備えた第１循環構成流路Ｊ１、第１循環構成流路Ｊ１に接続されて循環ポンプ２６を備えた第２循環構成流路Ｊ２、第２循環構成流路Ｊ２に対して並列状態で分岐接続された第３循環構成流路Ｊ３及び第４循環構成流路Ｊ４、第３循環構成流路Ｊ３及び第４循環構成流路Ｊ４が合流接続された第５循環構成流路Ｊ５、第５循環構成流路Ｊ５に接続されて暖房用熱交換器２７を備えた第６循環構成流路Ｊ６、第６循環構成流路Ｊ６に接続され且つ蓄熱タンク３の上部に接続された第７循環構成流路Ｊ７を備えて構成されている。
【００３３】
第１循環構成流路Ｊ１には、蓄熱水の通流方向の順に、蓄熱水の温度を検出する第１蓄熱水温度センサＴ１、蓄熱水の流量を検出する第１蓄熱水流量センサＦ１、蓄熱水の通流量を調整自在な第１制御弁Ｖ１、ヒートポンプ式加熱部１８、蓄熱水の通流量を調整自在な第２制御弁Ｖ２、蓄熱水の温度を検出する第２蓄熱水温度センサＴ２、排熱式加熱部１９、蓄熱水の温度を検出する第３蓄熱水温度センサＴ３が備えられている。また、第１循環構成流路Ｊ１には、第１蓄熱水流量センサＦ１と第１制御弁Ｖ１との間の部位から分岐して、第２制御弁Ｖ２と第２蓄熱水温度センサＴ２との間の部位に合流して、ヒートポンプ式加熱部１８をバイパスする第１バイパス路Ｂ１が備えられている。そして、第１バイパス路Ｂ１には、蓄熱水の通流量を調整自在な第３制御弁Ｖ３が備えられている。
【００３４】
第１循環構成流路Ｊ１と第２循環構成流路Ｊ２との接続部位には、第７循環構成流路Ｊ７から分岐された第１分岐合流路Ｐ１が合流接続されている。そして、第１循環構成流路Ｊ１と第２循環構成流路Ｊ２と第１分岐合流路Ｐ１との接続箇所には、第１循環構成流路Ｊ１からの蓄熱水に対する第１分岐合流路Ｐ１からの蓄熱水の混合量を調整自在な第１三方弁Ｓ１が配置されている。第２循環構成流路Ｊ２には、蓄熱水の通流方向の順に、循環ポンプ２６、蓄熱水の温度を検出する第４蓄熱水温度センサＴ４が備えられている。
【００３５】
第３循環構成流路Ｊ３と第４循環構成流路Ｊ４とは、上述の如く、並列状態で設けられており、第４循環構成流路Ｊ４には、ガス燃焼式のバーナを備えた補助加熱部２０が備えられている。また、第３循環構成流路Ｊ３と第４循環構成流路Ｊ４との合流箇所であり、第３循環構成流路Ｊ３と第４循環構成流路Ｊ４と第５循環構成流路Ｊ５との接続箇所には、第３循環構成流路Ｊ３に蓄熱水を通流させる状態と第４循環構成流路Ｊ４に蓄熱水を通流させる状態とに切換自在な第２三方弁Ｓ２が配置されている。
【００３６】
第５循環構成流路Ｊ５には、蓄熱水の通流方向の順に、蓄熱水の流量を検出する第２蓄熱水流量センサＦ２、蓄熱水の温度を検出する第５蓄熱水温度センサＴ５が備えられている。第７循環構成流路Ｊ７には、蓄熱水の通流方向の順に、蓄熱水の温度を検出する第６蓄熱水温度センサＴ６、蓄熱水の流量を調整自在な第４制御弁Ｖ４、蓄熱水の温度を検出する第７蓄熱水温度センサＴ７が備えられている。そして、第７循環構成流路Ｊ７において第４制御弁Ｖ４と第７蓄熱水温度センサＴ７の間の部位に第１分岐合流路Ｐ１が分岐接続されている。
【００３７】
循環路Ｊを通流する蓄熱水を熱消費部５に供給するために、循環路Ｊにおいて排熱式加熱部よりも蓄熱水の通流方向の下流側部位に分岐接続された蓄熱水供給路が備えられている。そして、蓄熱水供給路として、蓄熱水を給湯部５や浴槽５等の給湯箇所に供給する給湯用供給路Ｋ１と、蓄熱水を熱消費用熱交換器２９を通過させたのち循環路Ｊにおいてヒートポンプ式加熱部１８よりも蓄熱水の通流方向の上流側部位に戻す循環用供給路Ｋ２とが備えられている。
【００３８】
給湯用供給路Ｋ１は、第７循環構成流路Ｊ７において第６蓄熱水温度センサＴ６よりも蓄熱水の通流方向の上流側に分岐接続されて給湯箇所に蓄熱水を給湯するように構成されている。給湯用供給路Ｋ１には、蓄熱水の通流方向の順に、蓄熱水の温度を検出する第８蓄熱水温度センサＴ８、蓄熱水の流量を検出する第３蓄熱水流量センサＦ３、蓄熱水の流量を調整自在な第５制御弁Ｖ５、蓄熱水の温度を検出する第９蓄熱水温度センサＴ９が備えられている。そして、給水路３０から分岐されて第１逆止弁Ｇ１が備えられた第２分岐合流路Ｐ２が、給湯用供給路Ｋ１において第８蓄熱水温度センサＴ８と第３蓄熱水流量センサＦ３の間の部位に合流接続されており、その合流箇所には、給湯用供給路Ｋ１に対する第２分岐合流路Ｐ２からの水の混合量を調整自在な第３三方弁Ｓ３が配置されている。また、給湯用供給路Ｋ１において第９蓄熱水温度センサＴ９の設置部位から第３分岐合流路Ｐ３が分岐されており、第３分岐合流路Ｐ３が、浴槽５に接続された風呂戻り路３１に合流接続されている。これにより、第３分岐合流路Ｐ３が給湯用供給路Ｋ１として、蓄熱水を浴槽５に供給するように構成されており、第３分岐合流路Ｐ３には、蓄熱水の通流方向の順に、蓄熱水の流量を検出する第４蓄熱水流量センサＦ４、蓄熱水の通流を断続自在な第６制御弁Ｖ６が備えられている。
【００３９】
循環用供給路Ｋ２は、第５循環構成流路Ｊ５と第６循環構成流路Ｊ６との接続箇所から分岐されて、第１循環構成流路Ｊ１において第１蓄熱水温度センサＴ１と第１蓄熱水流量センサＦ１との間の部位に合流接続されている。循環用供給路Ｋ２には、蓄熱水の通流方向の順に、追焚用熱交換器２８、蓄熱水の通流を断続自在な第７制御弁Ｖ７、第２逆止弁Ｇ２、蓄熱水の温度を検出する第１０蓄熱水温度センサＴ１０、蓄熱水の温度を検出する第１１蓄熱水温度センサＴ１１が備えられている。また、第６循環構成流路Ｊ６と第７循環構成流路Ｊ７との接続箇所から分岐されて、循環用供給路Ｋ２において第７制御弁Ｖ７と第２逆止弁Ｇ２との間の部位に合流接続されている第４分岐合流路Ｐ４が備えられており、第４分岐合流路Ｐ４には、蓄熱水の通流を断続自在な第８制御弁Ｖ８が備えられている。そして、第６循環構成流路Ｊ６には暖房用熱交換器２７が備えられているので、第６循環構成流路Ｊ６及び第４分岐合流路Ｐ４が循環用供給路Ｋ２として構成されている。
【００４０】
循環路Ｊにおいて排熱式加熱部１９と蓄熱水供給路Ｋ１、Ｋ２の分岐箇所との間の部位に合流接続されて、循環路Ｊとは別に蓄熱タンク３から取り出した蓄熱水を混合させるための混合流路Ｑが備えられている。混合流路Ｑは、第７循環構成流路Ｊ７の一部及び第１分岐合流路Ｐ１から構成されている。また、循環路Ｊに対する混合流路Ｑからの蓄熱水の混合量を調整自在な混合量調整手段が、第１三方弁Ｓ１にて構成されている。
【００４１】
循環路Ｊにおいてヒートポンプ式加熱部１８よりも蓄熱水の通流方向の上流側部位に接続されて、蓄熱タンク３に蓄熱水を補給する蓄熱水補給路Ｗが備えられている。蓄熱水補給路Ｗは、循環用供給路Ｋ２において第１０蓄熱水温度センサＴ１０と第１１蓄熱水温度センサＴ１１との間の部位に合流接続された給水路３０、及び、循環用供給路Ｋ２において給水路３０の合流箇所よりも水の通流方向の下流側部位から構成されている。そして、給水路３０には、水の通流方向の順に、給水温度を検出する給水温度センサ３２、第３逆止弁Ｇ３が備えられている。
【００４２】
追焚用熱交換器２８には、浴槽５からの湯水を追焚用熱交換器２８に供給する風呂戻り路３１が入口側に接続され、浴槽５に湯水を供給する風呂往き路３３が出口側に接続されている。風呂戻り路３１には、湯水の通流方向の順に、風呂循環ポンプ３４、通流する湯水の温度を検出する風呂温度センサ５０が備えられており、風呂循環ポンプ３４よりも浴槽５側の部位に第３分岐合流路Ｐ３が合流接続されている。
【００４３】
暖房用熱交換器２７には、高温暖房端末５からの熱媒及び床暖房装置５からの熱媒を暖房熱交換器２７に供給する熱媒戻り路３５が入口側に接続され、高温暖房端末５及び床暖房装置５に熱媒を供給する熱媒往き路３６が出口側に接続されている。熱媒戻り路３５は、高温暖房端末５からの戻り流路３５ａと床暖房装置５からの戻り流路３５ｂとが合流されて、熱媒の通流方向の順に、熱媒の通流量を調整自在な熱媒通流量制御弁３７、熱媒の温度を検出する熱媒温度センサ３８、熱媒循環ポンプ３９が備えられている。そして、熱媒戻り路３５には、熱媒通流量制御弁３７をバイパスする第１熱媒バイパス路４０が備えられ、その第１熱媒バイパス路４０には、熱媒の通流方向の順に、手動バルブ４１、熱媒を貯留する大気開放型の熱媒膨張タンク４２が備えられている。
【００４４】
熱媒往き路３６には、熱媒の温度を検出する第２熱媒温度センサ４３が備えられ、高温暖房端末５への往き流路３６ａと床暖房装置５への往き流路３６ｂとに分岐されている。高温暖房端末５への往き流路３６ａには、第１熱動弁４４が備えられ、床暖房装置５への往き流路３６ｂには、第４逆止弁Ｇ４、熱媒の温度を検出する第３熱媒温度センサ４５、第２熱動弁４６が備えている。熱媒戻り路３５において熱媒循環ポンプ３９と暖房用熱交換器２７との間の部位から分岐して床暖房装置５への往き流路３６ｂにおいて第４逆止弁Ｇ４と第３熱媒温度センサ４５との間の部位に合流する熱媒分岐合流路が備えられており、暖房用熱交換器２７にて加熱された熱媒と加熱されていない熱媒とを混合させた熱媒を床暖房装置５に供給可能に構成されている。また、床暖房装置５からの戻り流路３５ｂと床暖房装置５への往き流路３６ｂにおいて第３熱媒温度センサ４５と第２熱動弁４６との間の部位とを接続する熱媒接続路４７が備えられ、その熱媒接続路４７には熱媒の通流を断続自在な熱媒制御弁４８が備えられている。
【００４５】
運転制御部４は、この熱供給設備の運転として、熱電併給装置１にて発生する排熱及び圧縮式ヒートポンプ装置２の冷媒から取得した熱を蓄熱タンク３に蓄熱する蓄熱運転と、熱電併給装置１にて発生する排熱、圧縮式ヒートポンプ装置２の冷媒から取得した熱、及び、蓄熱タンク３に蓄熱されている熱を熱消費部５に供給する熱供給運転とを実行可能に構成されている。そして、運転制御部４は、熱供給運転として、蓄熱水を給湯部５や浴槽５の給湯箇所に供給する給湯用熱供給運転と、蓄熱水を暖房用熱交換器２７や追焚用熱交換器２８に供給する循環用熱供給運転とを実行可能に構成されている。
【００４６】
以下、各運転について説明する。
〔蓄熱運転〕
運転制御部４は、蓄熱運転を行うに当たり、熱電併給装置１が設定時間以上連続作動可能な作動開始条件が満たされているか否かを判別し、その作動開始条件が満たされていると、蓄熱運転を行う。ここで、設定時間とは、例えば、１時間に設定されており、作動開始条件は、前回の蓄熱運転の終了後設定時間（例えば１時間）が経過しており、且つ、蓄熱タンク３に設置された第１〜第５蓄熱温度センサＣ１〜Ｃ５の検出温度が下記の（１）及び（２）の２つの条件の何れかを満たしている条件に設定されている。ここで、第１〜第５蓄熱温度センサＣ１〜Ｃ５は、蓄熱タンク３の上下方向に間隔を隔てて設置されている。
（１）最上部に設置された第１蓄熱温度センサＣ１の検出温度が第１設定温度（例えば５０℃）以下である
（２）第１〜第５蓄熱温度センサＣ１〜Ｃ５の夫々の検出温度の合計温度が第２設定温度（例えば２５０℃）以下である
【００４７】
運転制御部４は、図１に示すように、熱電併給装置１、圧縮式ヒートポンプ装置２、循環ポンプ２６及び冷却水循環ポンプ２５の夫々を作動させるとともに、第１制御弁Ｖ１、第２制御弁Ｖ２及び第４制御弁Ｖ４を開弁させ、第２三方弁Ｓ２にて第３循環構成流路Ｊ３に蓄熱水を通流させる状態に切り換えて、第１三方弁Ｓ１により混合流路Ｑからの蓄熱水の混合量をゼロとする。ここで、運転制御部４が、第４制御弁Ｖ４を開弁させるとともに、第７制御弁Ｖ７、第８制御弁Ｖ８及び第３三方弁Ｓ３を閉弁させることで、排熱式加熱部１９を通過した蓄熱水を循環路Ｊにより蓄熱タンク３に戻す蓄熱状態としており、切換手段が、運転制御部４、第４制御弁Ｖ４、第７制御弁Ｖ７、第８制御弁Ｖ８及び第３三方弁Ｓ３等から構成されている。
【００４８】
運転制御部４は、排熱式加熱部１９を通過した蓄熱水の温度を示す第３蓄熱温度センサＴ３の検出温度が蓄熱用目標温度（例えば７５℃）になるように、循環ポンプ２６の回転速度を制御している。つまり、運転制御部４は、第３蓄熱温度センサＴ３の検出温度が蓄熱用目標温度よりも低いと、循環ポンプ２６の回転速度を低速側に調整し、第３蓄熱温度センサＴ３の検出温度が蓄熱用目標温度よりも高いと、循環ポンプ２６の回転速度を高速側に調整している。
【００４９】
これにより、図１中太線矢印にて示すように、蓄熱タンク３の下部から取り出された蓄熱水は、第１循環構成流路Ｊ１を通してヒートポンプ式加熱部１８、排熱式加熱部１９の順に通過し、第１三方弁Ｓ１により第２循環構成流路Ｊ２に通流される。そして、第２循環構成流路Ｊ２に通流した蓄熱水は、第３循環構成流路Ｊ３、第２三方弁Ｓ２、第５循環構成流路Ｊ５、第６循環構成流路Ｊ６を通して暖房用熱交換器２７を通過し、第７循環構成流路Ｊ７を通して蓄熱タンク３の上部に戻される。このようにして、蓄熱タンク３の下部から取り出した蓄熱水を、ヒートポンプ式加熱部１８、排熱式加熱部１９の順に通過させたのち蓄熱タンク３の上部に戻す形態で循環路Ｊを通して通流させることで、ヒートポンプ式加熱部１８及び排熱式加熱部１９にて加熱された蓄熱用目標温度の蓄熱水を蓄熱タンク４に貯湯している。
【００５０】
ここで、この蓄熱運転では、熱電併給装置１の排熱及び圧縮式ヒートポンプ装置２の冷媒から取得した熱を蓄熱タンク３に蓄熱しているが、蓄熱タンク３への蓄熱に加えて、熱媒膨張タンク４２にも蓄熱することが可能である。つまり、手動バルブ４１は開弁されているので、熱媒循環ポンプ３９を作動させるとともに熱媒制御弁４８を開弁することで、熱媒膨張タンク４２の熱媒を暖房用熱交換器２７に循環供給することができる。そして、上述の蓄熱運転では、ヒートポンプ式加熱部１８及び排熱式加熱部１９にて加熱された蓄熱水が暖房用熱交換器２７を通過したのち蓄熱タンク３の上部に戻されているので、熱媒膨張タンク４２の熱媒を暖房用熱交換器２７に循環供給することにより、暖房用熱交換器２７において蓄熱水にて熱媒を加熱することができる。その結果、暖房用熱交換器２７にて加熱された熱媒が熱媒膨張タンク４２に貯湯されることになり、熱電併給装置１の排熱及び圧縮式ヒートポンプ装置２の冷媒から取得した熱を熱媒膨張タンク４２に蓄熱することができる。そこで、蓄熱運転において、運転制御部４は、まず、熱媒循環ポンプ３９を作動させるとともに熱媒制御弁４８を開弁することで、熱媒膨張タンク４２の熱媒を暖房用熱交換器２７に循環供給して、暖房用熱交換器２７にて加熱された熱媒を熱媒膨張タンク４２に貯湯する。その後、図示は省略するが、熱媒膨張タンク４２に設置された熱媒の温度を検出する熱媒温度センサの検出温度から熱媒膨張タンク４２の蓄熱量が満杯になると、熱媒循環ポンプ３９を作動停止させるとともに熱媒制御弁４８を閉弁させて、熱媒膨張タンク４２への蓄熱を終了し、上述の蓄熱タンク３への蓄熱を開始することができる。これにより、熱電併給装置１の排熱及び圧縮式ヒートポンプ装置２の冷媒から取得した熱を熱媒膨張タンク４２にも蓄熱することができ、蓄熱可能な熱量をより多くすることができるとともに、その熱媒膨張タンク４２に蓄熱された熱を高温暖房端末５や床暖房装置５を使用するときに活用することができ、省エネ性の向上を図ることができる。
【００５１】
運転制御部４は、蓄熱運転において圧縮式ヒートポンプ装置２を作動させるのであるが、商用電力系統８から圧縮式ヒートポンプ装置２を含めた電力消費部１１に供給される電力量に基づいて、圧縮式ヒートポンプ装置２における圧縮機１３の回転速度を制御している。説明を加えると、熱電併給装置１のインバータ９は、発電機２の発電出力を商用電力系統１０に系統連系しており、商用電力系統８は、電力供給ライン１０を介して圧縮式ヒートポンプ装置２の圧縮機１３における駆動部に電気的に接続されているので、熱電併給装置１にて発生する電力が圧縮式ヒートポンプ装置２における圧縮機１３の駆動用電力として供給されている。そして、電力供給ライン１１には、図示は省略するが、圧縮式ヒートポンプ装置２を含めた電力消費部１１に供給される電力量を計測する電力負荷計測手段が設けられている。
【００５２】
運転制御部４は、逆潮流が生じずに、電力負荷計測手段にて計測する電力消費部１１に供給される電力量が設定範囲（例えば１００〜１５０Ｗ程度）内となるように、圧縮機１３の回転速度を制御している。例えば、電力負荷計測手段にて計測する電力消費部１１に供給される電力量が設定範囲よりも高く（例えば３００Ｗ以上）、且つ、圧縮機１３の回転速度が第１設定回転速度（例えば３０００ｒｐｍ）以上の場合は、運転制御部４が、電力負荷計測手段にて計測する電力消費部１１に供給される電力量に応じて段階的（例えば５００ｒｐｍ毎）に圧縮機１３の回転速度を低速側に調整し、電力負荷計測手段にて計測する電力消費部１１に供給される電力量を設定範囲内に調整している。また、例えば、電力負荷計測手段にて計測する電力消費部１１に供給される電力量が設定範囲よりも低く（例えば１００Ｗ以下）、且つ、圧縮機１３の回転速度が第２設定回転速度（例えば５０００ｒｐｍ）以下の場合は、運転制御部４が、電力負荷計測手段にて計測する電力消費部１１に供給される電力量に応じて段階的（例えば５００ｒｐｍ毎）に圧縮機１３の回転速度を高速側に調整し、電力負荷計測手段にて計測する電力消費部１１に供給される電力量を設定範囲内に調整している。
【００５３】
上述の如く、商用電力系統８から電力消費部１１に供給される電力量に応じて圧縮機１３の回転速度を調整するのであるが、商用電力系統８から電力消費部１１に供給される電力量の変動に対して圧縮機１３の回転速度を逐次変更すると、圧縮式ヒートポンプ装置２における電子式の膨張弁１５の最適制御の維持が難しく、圧縮式ヒートポンプ装置２の作動が不安定となる可能性がある。そこで、運転制御部４は、電力負荷計測手段にて計測する電力消費部１１に供給される電力量に基づいて圧縮機１３の回転速度を制御するに当たり、設定周期（例えば５分）における商用電力系統８から電力消費部１１に供給される電力量に基づいて、圧縮機１３の回転速度を制御している。例えば、運転制御部４は、設定周期ごとに電力負荷計測手段にて計測する電力消費部１１に供給される電力量の積算平均値を求め、前回求めた積算平均値と今回求めた積算平均値との差分が例えば５０Ｗを越えると、例えば５００ｒｐｍ毎の回転速度の増減を行うようにしている。
【００５４】
このようにして、運転制御部４は、商用電力系統８から電力消費部１１に供給される電力量に応じて圧縮機１３の回転速度を調整しながら、ヒートポンプ式加熱部１８及び排熱式加熱部１９にて加熱された高温の蓄熱水を蓄熱タンク４に貯湯しているが、作動停止条件が満たされると、蓄熱運転を終了する。作動停止条件は、第１〜第５蓄熱温度センサＣ１〜Ｃ５の夫々の検出温度の合計温度が停止用設定温度（例えば３３０℃）以上であることを条件としている。
【００５５】
〔給湯用熱供給運転〕
この給湯用熱供給運転は、給湯部５及び浴槽５の少なくとも一方に蓄熱水を供給する運転であり、まず、給湯部５に蓄熱水を供給する場合について説明する。
この場合には、給湯部５での給湯栓の開操作により給湯用熱供給運転が開始され、給湯部５での給湯栓の閉操作により給湯用熱供給運転が終了される。そして、給湯用熱供給運転を開始する際に、熱電併給装置１及び圧縮式ヒートポンプ装置２が作動中であるときの動作と熱電併給装置１及び圧縮式ヒートポンプ装置２が作動停止しているときの動作とがある。
【００５６】
熱電併給装置１及び圧縮式ヒートポンプ装置２が作動停止しているときの動作について説明すると、運転制御部４は、第１三方弁Ｓ１を第１循環構成流路Ｊ１側を全閉とし且つ第１分岐合流路Ｐ１側を全開とし、第２三方弁Ｓ２にて第３循環構成流路Ｊ３に蓄熱水を通流させる状態に切り換えるとともに、第３三方弁Ｓ３により給湯用供給路Ｋ１に対する第２分岐合流路Ｐ２からの水の混合量を調整している。ここで、運転制御部４が、第３三方弁Ｓ３を開弁させるとともに、第４制御弁Ｖ４、第７制御弁Ｖ７及び第８制御弁Ｖ８を閉弁させることで、排熱式加熱部１９を通過した蓄熱水を給湯用供給路Ｋ１により給湯部５に供給する熱供給状態に切り換えている。また、運転制御部４が、第３三方弁Ｓ３を開弁させるとともに、第４制御弁Ｖ４、第７制御弁Ｖ７及び第８制御弁Ｖ８を閉弁させることで、蓄熱水を給湯用供給路Ｋ１により給湯部５や浴槽５の給湯箇所に供給する給湯状態に切り換えており、熱供給状態切換手段が、運転制御部４、第３三方弁Ｓ３、第４制御弁Ｖ４、第７制御弁Ｖ７及び第８制御弁Ｖ８等から構成されている。
【００５７】
これにより、図示は省略するが、混合流路Ｑにて蓄熱タンク３の上部から取り出された蓄熱水のみが、第２循環構成流路Ｊ２に通流され、第３循環構成流路Ｊ３、第２三方弁Ｓ２、第５循環構成流路Ｊ５、第６循環構成流路Ｊ６を通して暖房用熱交換器２７を通過したのち、第７循環構成流路Ｊ７の途中部位から給湯用供給路Ｋ１に通流される。そして、給湯用供給路Ｋ１に通流された蓄熱水は、第３三方弁Ｓ３により第２分岐合流路Ｐ２からの水が混合されて給湯部５に供給される。運転制御部４は、第９蓄熱水温度センサＴ９の検出温度が給湯用目標温度になるように、第３三方弁Ｓ３により第２分岐合流路Ｐ２からの水の混合量を調整している。
【００５８】
このようにして、熱電併給装置１及び圧縮式ヒートポンプ装置２が作動停止しているときには、蓄熱タンク３の蓄熱水を給湯部５に供給することで、蓄熱タンク３に蓄熱されている熱を給湯部５に供給している。そして、第４蓄熱水温度センサＴ４の検出温度が給湯用目標温度よりも低くなり、蓄熱タンク３に蓄熱されている熱だけでは要求されている温度の蓄熱水を供給できない場合には、運転制御部４が、第２三方弁Ｓ２を第４循環構成流路Ｊ４に蓄熱水を通流させる状態に切り換えて補助加熱部２０を作動させることで、補助加熱部２０にて蓄熱水を給湯用目標温度よりも高温まで加熱することで、給湯用目標温度の蓄熱水を給湯部５に供給可能としている。
【００５９】
熱電併給装置１及び圧縮式ヒートポンプ装置２が作動中のときについて説明するが、この場合は、例えば、蓄熱運転中に給湯用熱供給運転が開始されたときである。
運転制御部４は、図２に示すように、熱電併給装置１、ヒートポンプ装置２、循環ポンプ２６（最低回転速度にて作動）及び冷却水循環ポンプ２５の夫々を作動させるとともに、第１制御弁Ｖ１及び第２制御弁Ｖ２を開弁させ、第２三方弁Ｓ２にて第３循環構成流路Ｊ３に蓄熱水を通流させる状態に切り換える。そして、運転制御部４は、第３蓄熱水温度センサＴ３の検出温度が熱供給用目標温度（蓄熱用目標温度よりも低い温度、例えば４５℃）になるように、第１三方弁Ｓ１にて混合流路Ｑからの蓄熱水の混合量を調整している。
【００６０】
これにより、図２中太線矢印にて示すように、第１循環構成流路Ｊ１を通してヒートポンプ式加熱部１８、排熱式加熱部１９の順に通過した蓄熱水と混合流路Ｑにより蓄熱タンク３の上部から取り出した蓄熱水とが第１三方弁Ｓ１により混合され、その混合された蓄熱水が第２循環構成流路Ｊ２に通流される。そして、第２循環構成流路Ｊ２に通流された蓄熱水は、第３循環構成流路Ｊ３、第２三方弁Ｓ２、第５循環構成流路Ｊ５、第６循環構成流路Ｊ６を通して暖房用熱交換器２７を通過し、第７循環構成流路Ｊ７の途中部位から給湯用供給路Ｋ１に通流される。そして、熱電併給装置１及び圧縮式ヒートポンプ装置２が作動停止しているときと同様に、運転制御部４は、第９蓄熱水温度センサＴ９の検出温度が給湯用目標温度になるように、第３三方弁Ｓ３により第２分岐合流路Ｐ２からの水の混合量を調整している。
【００６１】
このようにして、熱電併給装置１及び圧縮式ヒートポンプ装置２が作動中のときには、ヒートポンプ式加熱部１８、排熱式加熱部１９の順に通過した蓄熱水と蓄熱タンク３の上部から取り出した蓄熱水とを混合させて、その混合された蓄熱水を給湯箇所に供給することができ、熱電併給装置１の排熱及びヒートポンプ装置２の冷媒による熱に加えて、蓄熱タンク３に効率よく蓄熱された熱をも給湯箇所に供給することができ、省エネ性の向上を効果的に図ることができる。また、要求されている温度の蓄熱水を供給できなくなった場合には、熱電併給装置１及び圧縮式ヒートポンプ装置２が作動停止しているときと同様に、運転制御部４が、第２三方弁Ｓ２を第４循環構成流路Ｊ４に蓄熱水を通流させる状態に切り換えて補助加熱部２０を作動させている。
【００６２】
この給湯用熱供給運転において、運転制御部４は、熱電併給装置１及び圧縮式ヒートポンプ装置２が作動中のときに、蓄熱運転と同様に、逆潮流が生じずに、電力負荷計測手段にて計測する電力消費部１１に供給される電力量が設定範囲内となるように、設定周期（例えば５分）における商用電力系統８から電力消費部１１に供給される電力量に基づいて、圧縮機１３の回転速度を制御している。
【００６３】
次に、浴槽５に蓄熱水を供給する場合について説明する。
この場合は、風呂リモコンからの湯張り要求があることにより給湯用熱供給運転が開始され、浴槽５に所望量の蓄熱水を供給する（第４蓄熱水流量センサＦ４の積算流量が所定量となる）ことにより給湯用熱供給運転が終了される。そして、運転制御部４は、風呂リモコンからの湯張り要求により給湯用熱供給運転を開始したときには、給湯用熱供給運転を終了すると、上述の蓄熱運転を継続して行うように構成されている。このとき、運転制御部４は、熱電併給装置１の作動開始から設定時間（例えば３０分）経過しており、第１〜第５蓄熱温度センサＣ１〜Ｃ５の夫々の検出温度の合計温度が第３設定温度（例えば３００℃）以上となると、継続して行う蓄熱運転を終了する。
【００６４】
そして、運転制御部４は、風呂リモコンからの湯張り要求があると、即座に給湯用熱供給運転を行うのではなく、遅延用熱供給運転を設定遅延時間（例えば浴槽５への蓄熱水の供給を開始してから６０秒）行ったのち、給湯用熱供給運転を行っている。
【００６５】
この遅延用熱供給運転では、運転制御部４が、熱電併給装置１及びヒートポンプ装置２を作動停止状態に維持して、循環ポンプ２６を作動させ、第１三方弁Ｓ１を第１循環構成流路Ｊ１側を全閉とし且つ第１分岐合流路Ｐ１側を全開とし、第２三方弁Ｓ２にて第３循環構成流路Ｊ３に蓄熱水を通流させる状態に切り換えるとともに、第３三方弁Ｓ３により給湯用供給路Ｋ１に対する第２分岐合流路Ｐ２からの水の混合量を調整している。これにより、熱電併給装置１及びヒートポンプ装置２を作動開始させる前に、蓄熱タンク３の蓄熱水を浴槽５に供給しておくことで、蓄熱タンク３に蓄熱されている熱を効果的に活用することができ、省エネ性の向上に一層貢献することができる。
【００６６】
そして、運転制御部４は、遅延用熱供給運転を設定遅延時間（例えば浴槽５への蓄熱水の供給を開始してから６０秒）行ったのち、給湯用熱供給運転を行うのであるが、この給湯用熱供給運転については、上述の給湯部５に蓄熱水を供給するときの熱電併給装置１及びヒートポンプ装置２が作動中のときと、第６制御弁Ｖ６を開弁させる点が異なるだけであるので、詳細な説明は省略する。
【００６７】
〔循環用熱供給運転〕
この循環用熱供給運転については、風呂リモコンからの追焚要求、高温暖房端末５からの高温暖房要求、或いは、床暖房装置５からの床暖房要求があることにより循環用熱供給運転が開始される。そして、風呂リモコンからの追焚要求により循環用熱供給運転を開始したときには、浴槽５の湯水の温度が追焚用設定温度になることにより循環用熱供給運転が終了され、高温暖房端末５からの高温暖房要求や床暖房装置５からの床暖房要求により循環用熱供給運転を開始したときには、その高温暖房要求や床暖房要求が解除されることにより循環用熱供給運転が終了される。ここで、運転制御部４は、循環用熱供給運転を終了すると、上述の蓄熱運転を継続して行うように構成されている。このとき、運転制御部４は、熱電併給装置１の作動開始から設定時間（例えば３０分）経過しており、第１〜第５蓄熱温度センサＣ１〜Ｃ５の夫々の検出温度の合計温度が第３設定温度（例えば３００℃）以上となると、継続して行う蓄熱運転を終了する。
【００６８】
循環用熱供給運転は、高温暖房端末５や床暖房装置５に熱媒を供給するために暖房用熱交換器２７に蓄熱水を供給する場合と、浴槽５の湯水を追焚するために追焚用熱交換器２８に蓄熱水を供給する場合とがあり、まず、床暖房装置５に熱媒を供給するために暖房用熱交換器２７に蓄熱水を供給する場合について説明する。
【００６９】
この場合には、上述の給湯用熱供給運転において浴槽５に蓄熱水を供給する場合と同様に、運転制御部４は、床暖房要求があると、即座に循環用熱供給運転を行うのではなく、遅延用熱供給運転を設定遅延時間（例えば床暖房装置５への熱媒の供給を開始してから１８０秒）行ったのち、循環用熱供給運転を行っている。また、この遅延用熱供給運転については、高温暖房端末５に熱媒を供給するために暖房用熱交換器２７に蓄熱水を供給する場合も、浴槽５の湯水を追焚するために追焚用熱交換器２８に蓄熱水を供給する場合も、遅延用熱供給運転を設定遅延時間行ったのち、暖房用熱供給運転を行っている。そして、高温暖房端末５に熱媒を供給するために暖房用熱交換器２７に蓄熱水を供給する場合では、設定遅延時間を例えば高温暖房端末５への熱媒の供給を開始してから１８０秒としており、浴槽５の湯水を追焚するために追焚用熱交換器２８に蓄熱水を供給する場合では、設定遅延時間を例えば追焚用熱交換器２８への蓄熱水の供給を開始してから１２０秒としている。
【００７０】
このときの遅延用熱供給運転については、運転制御部４が、基本的には、上述の遅延用熱供給運転と同様の動作を行うが、蓄熱水の供給先を給湯箇所とする給湯状態に切り換えるのではなく、第８制御弁Ｖ８を開弁させるとともに、第４制御弁Ｖ４、第７制御弁Ｖ７及び第３三方弁Ｓ３を閉弁させることで、蓄熱水を循環用供給路Ｋ２（第６循環構成流路Ｊ６及び第４分岐合流路Ｐ４）により暖房用熱交換器２７に供給する循環状態に切り換えている。
【００７１】
そして、運転制御部４は、この遅延用熱供給運転を設定遅延時間（例えば床暖房装置５への熱媒の供給を開始してから１８０秒）行った後に行う循環用熱供給運転についても、上述の給湯用熱供給運転において、蓄熱水の供給先を給湯箇所とする給湯状態に切り換えるのではなく、図３に示すように、第８制御弁Ｖ８を開弁させるとともに、第４制御弁Ｖ４、第７制御弁Ｖ７及び第３三方弁Ｓ３を閉弁させることで、蓄熱水を循環用供給路Ｋ２（第６循環構成流路Ｊ６及び第４分岐合流路Ｐ４）により暖房用熱交換器２７に供給する循環状態に切り換えている。
【００７２】
また、運転制御部４は、循環用熱供給運転において、第３蓄熱水温度センサＴ３の検出温度が熱供給用目標温度（蓄熱用目標温度よりも低い温度、例えば６５℃或いは６０℃）になるように、第１三方弁Ｓ１にて混合流路Ｑからの蓄熱水の混合量を調整している。ここで、熱供給用目標温度については、床暖房装置５にて求められている温度に応じて変更可能であり、例えば、床暖房装置５にて低温暖房を行なう場合には、６０℃が設定され、それ以外の場合には、６５℃が設定されている。そして、床暖房装置５の立ち上がり時等には、運転制御部４が、熱供給用目標温度を蓄熱用目標温度と同じ温度（例えば７５℃）になるように、第１三方弁Ｓ１にて混合流路Ｑからの蓄熱水の混合量を調整するとともに、第２三方弁Ｓ２を第４循環構成流路Ｊ４に蓄熱水を通流させる状態に切り換えて補助加熱部２０を作動させて、ホットダッシュ用の循環用熱供給運転を行うこともできる。
【００７３】
そして、運転制御部４は、熱媒循環ポンプ３９を作動させるとともに、第２熱動弁４６を開弁させることで、熱媒戻り路３５及び熱媒往き路３６を通して暖房用熱交換器２７と床暖房装置５との間で熱媒を循環させている。これにより、暖房用熱交換器２７に供給される蓄熱水にて加熱された熱媒が床暖房装置５に循環供給される。
【００７４】
このようにして、ヒートポンプ式加熱部１８、排熱式加熱部１９の順に通過した蓄熱水と蓄熱タンク３の上部から取り出した蓄熱水とを混合させて、その混合された蓄熱水を暖房用熱交換器２７に供給することで、熱電併給装置１の排熱及びヒートポンプ装置２の冷媒による熱に加えて、蓄熱タンク３に効率よく蓄熱された熱をも暖房用熱交換器２７に供給して床暖房装置５にて活用することができ、省エネ性の向上を効果的に図ることができる。
【００７５】
高温暖房端末５に熱媒を供給するために暖房用熱交換器２７に蓄熱水を供給する場合について説明すると、図４に示すように、図３に示した床暖房装置５に熱媒を供給するために暖房用熱交換器２７に蓄熱水を供給する場合と比べて、蓄熱水の通流状態は同様であり、熱供給用目標温度を例えば７５℃に設定する点で異なるだけである。そして、図４では、運転制御部４が、第２三方弁Ｓ２を第４循環構成流路Ｊ４に蓄熱水を通流させる状態に切り換えて補助加熱部２０を作動させている状態を示している。また、熱媒の通流状態については、第２熱動弁４６を開弁させるのに代えて、第１熱動弁４４を開弁させて暖房用熱交換器２７にて加熱された熱媒を高温暖房端末５に供給する点が異なるだけであるので、詳細な説明は省略する。
【００７６】
また、浴槽５の湯水を追焚するために追焚用熱交換器２８に蓄熱水を供給する場合については、図示は省略するが、図３にて示した床暖房装置５に熱媒を供給するために暖房用熱交換器２７に蓄熱水を供給する場合と比べて、蓄熱水の通流状態については、第８制御弁Ｖ８を開弁させるのに代えて、第７制御弁Ｖ７を開弁させて追焚用熱交換器２８に蓄熱水を供給するとともに、熱供給用目標温度を例えば６５℃に設定する点で異なるだけであるので、詳細な説明は省略する。そして、運転制御部４は、風呂循環ポンプ３４を作動させることで、風呂戻り路３１及び風呂往き路３３を通して追焚用熱交換器２８と浴槽５との間で湯水を循環させている。これにより、追焚用熱交換器２８に供給される蓄熱水にて加熱された湯水が浴槽５に循環供給されて追焚される。
【００７７】
上述の各運転については、運転制御部４は、単独で行うことも併行して行うことも可能である。例えば、運転制御部４は、図５に示すように、給湯箇所に蓄熱水を供給する給湯用熱供給運転と床暖房装置５に熱媒を供給するために暖房用熱交換器２７に蓄熱水を供給する循環用熱供給運転とを併用して行うことができる。また、運転制御部４は、図６に示すように、蓄熱運転と床暖房装置５に熱媒を供給するために暖房用熱交換器２７に蓄熱水を供給する循環用熱供給運転とを併用して行うこともできる。
【００７８】
〔デフロスト運転〕
この熱供給設備では、ヒートポンプ装置２を備えているので、冬季等の外気温度が低下したときに蒸発器１６に着霜することがあるので、運転制御部４は、その霜を除去するためのデフロスト運転を実行可能に構成されている。蒸発器１６に着霜すると、圧縮機１３の吸い込み圧力が正常値よりも低下するので、図示は省略するが、圧縮機１３の吸い込み圧力を検出する圧力センサの検出値が設定値よりも圧縮機１３の吸い込み圧力の低下が検出されると、デフロスト運転を開始し、圧縮機１３の吸い込み圧力の低下が検出できなくなると、デフロスト運転を終了する。
【００７９】
運転制御部４は、例えば、図２に示すように、給湯部５や浴槽５の給湯箇所に蓄熱水を供給する給湯用熱供給運転を行っているときに、圧縮機１３の回転速度を最小回転速度に低下させて、第３蓄熱水温度センサＴ３の検出温度がデフロスト用設定温度（例えば７５℃）となるように第１三方弁Ｓ１にて混合流路Ｑからの蓄熱水の混合量を調整している。これにより、圧縮式ヒートポンプ装置２の圧縮比を上げて、蒸発器１６の熱負荷を落とすことで、デフロストを行っている。
【００８０】
〔別実施形態〕
（１）上記実施形態では、熱電併給装置１として、エンジン６とそのエンジン６にて駆動される発電機７とを組み合わせたものを例示したが、例えば、都市ガス等を燃料として排熱と電力とを発生する燃料電池システムを熱電併給装置１として適応することも可能である。
【産業上の利用可能性】
【００８１】
本発明は、蓄熱タンクから取り出した蓄熱水を、ヒートポンプ式加熱部、排熱式加熱部の順に通過させたのち前記蓄熱タンクに戻す循環路が備えられ、前記循環路には蓄熱水を熱消費部に供給する蓄熱水供給路が分岐接続され、排熱式加熱部を通過した蓄熱水を循環路により蓄熱タンクに戻す蓄熱状態と排熱式加熱部を通過した蓄熱水を蓄熱水供給路により熱消費部に供給する熱供給状態とに切換自在な切換手段が備えられている熱供給設備において、熱電併給装置の排熱だけでなく、ヒートポンプ装置の冷媒による熱をも蓄熱タンクに蓄熱可能であり、しかも、熱電併給装置の排熱及びヒートポンプ装置の冷媒による熱に加えて、蓄熱タンクに蓄熱されている熱をも効果的に熱消費部に供給できる各種の熱供給設備に適応可能である。
【符号の説明】
【００８２】
１        熱電併給装置
２        圧縮式ヒートポンプ装置
３        蓄熱タンク
４        運転制御手段（運転制御部）
４、Ｖ４、Ｖ７、Ｖ８、Ｓ３      切換手段
４、Ｖ４、Ｖ７、Ｖ８、Ｓ３      熱供給状態切換手段
５        熱消費部（給湯箇所）
８        商用電力系統
９        インバータ
１１      電力消費部
１３      圧縮機
１８      ヒートポンプ式加熱部
１９      排熱式加熱部
２６      循環ポンプ
２９      熱消費用熱交換器
Ｊ        循環路
Ｋ１      給湯用供給路
Ｋ２      循環用供給路
Ｑ        混合流路
Ｓ１      混合量調整手段（第１三方弁）
Ｗ        蓄熱水補給路
【図１】
2011047591.tif 000003
【図２】
2011047591.tif 000004
【図３】
2011047591.tif 000005
【図４】
2011047591.tif 000006
【図５】
2011047591.tif 000007
【図６】
2011047591.tif 000008